(57)【要約】【課題】吐水管本体内にインナーホースを通す場合に組付け性及び構造安定性を高めることができる水栓を提供すること。【解決手段】中空の吐水管本体４と、該吐水管本体４の内部を通る通水用のインナーホース５と、前記インナーホース５の上流端部に設けられた上流接続部６と、前記吐水管本体５の基部７内に設けられ、前記上流接続部６を該吐水管本体４の軸方向にスライド可能に保持する上流保持部８とを具備し、前記上流保持部８によって前記上流接続部６が保持される範囲で前記インナーホース５を前記吐水管本体４の先端側へ引き出し可能に構成してある。【選択図】図１
2019112830.tif 000002
【特許請求の範囲】
【請求項１】
中空の吐水管本体と、
該吐水管本体の内部を通る通水用のインナーホースと、
前記インナーホースの上流端部に設けられた上流接続部と、
前記吐水管本体の基部内に設けられ、前記上流接続部を該吐水管本体の軸方向にスライド可能に保持する上流保持部とを具備し、
前記上流保持部によって前記上流接続部が保持される範囲で前記インナーホースを前記吐水管本体の先端側へ引き出し可能に構成してあることを特徴とする水栓。
【請求項２】
前記インナーホースの下流端部に設けられた下流接続部と、
前記吐水管本体の先端部内に設けられ、前記下流接続部が該吐水管本体の上流側へ移動することを阻止し下流側へ移動することを許容する受け座とを具備した請求項１に記載の水栓。
【請求項３】
前記吐水管本体の先端部に、前記下流接続部が該吐水管本体の下流側へ移動することを阻止する阻止部材が着脱自在に装着される請求項２に記載の水栓。
【発明の詳細な説明】
【技術分野】
【０００１】
本発明は、例えば、シンクや洗面台等に設置される水栓に関する。
【背景技術】
【０００２】
従来の金属製の吐水管を具備した水栓（例えば特許文献１参照）において、通水部分が金属製であると、供給される水質が悪化する懸念がある。
【先行技術文献】
【特許文献】
【０００３】
【特許文献１】特開平９−１７７１４７号公報
【発明の概要】
【発明が解決しようとする課題】
【０００４】
そこで、中空で金属製の吐水管本体内に、有害物質等の浸出が少ないインナーホースを通し、このインナーホース内に水を流すことが考えられる。
【０００５】
しかし、この場合、インナーホースが吐水管本体よりも短すぎるとその接続が困難となり、逆に長すぎるとインナーホースやこれに繋がる部材に意図しない応力が加わり続け、早期に不具合が生じる恐れがある。
【０００６】
本発明は上述の事柄に留意してなされたもので、その目的は、吐水管本体内にインナーホースを通す場合に組付け性及び構造安定性を高めることができる水栓を提供することにある。
【課題を解決するための手段】
【０００７】
上記目的を達成するために、本発明に係る水栓は、中空の吐水管本体と、該吐水管本体の内部を通る通水用のインナーホースと、前記インナーホースの上流端部に設けられた上流接続部と、前記吐水管本体の基部内に設けられ、前記上流接続部を該吐水管本体の軸方向にスライド可能に保持する上流保持部とを具備し、前記上流保持部によって前記上流接続部が保持される範囲で前記インナーホースを前記吐水管本体の先端側へ引き出し可能に構成してある（請求項１）。
【０００８】
上記水栓が、前記インナーホースの下流端部に設けられた下流接続部と、前記吐水管本体の先端部内に設けられ、前記下流接続部が該吐水管本体の上流側へ移動することを阻止し下流側へ移動することを許容する受け座とを具備していてもよい（請求項２）。
【０００９】
上記水栓において、前記吐水管本体の先端部に、前記下流接続部が該吐水管本体の下流側へ移動することを阻止する阻止部材が着脱自在に装着されていてもよい（請求項３）。
【発明の効果】
【００１０】
本願発明では、吐水管本体内にインナーホースを通す場合に組付け性及び構造安定性を高めることができる水栓が得られる。
【００１１】
すなわち、本願の各請求項に係る発明の水栓では、上流保持部によって上流接続部が保持される範囲でインナーホースを吐水管本体の先端側へ引き出し可能に構成されており、インナーホースへの下流接続部の連結を吐水管本体の外側において行えるので、組付け性を高めることができ、しかも、上流接続部は吐水管本体の軸方向にスライド可能となっているので、インナーホースの若干の長短はこのスライド調整によって解消・吸収され、構造安定性が高まることにもなる。
【００１２】
請求項２に係る発明の水栓では、インナーホースに下流接続部を連結した後、この下流接続部を吐水管本体内へ挿入する際、必要以上に下流接続部が吐水管本体の上流側へと押し込まれてしまうことは、受け座によって確実に防止することができる。
【００１３】
請求項３に係る発明の水栓では、吐水時に下流接続部が吐出口から飛び出すようなことがなく、インナーホースが吐水管本体内に安定した状態で収まることになる。
【図面の簡単な説明】
【００１４】
【図１】本発明の一実施の形態に係る水栓の構成を一部を切断して概略的に示す正面図である。
【図２】前記水栓の要部の構成を概略的に示す縦断面図である。
【図３】（Ａ）及び（Ｂ）は、前記水栓の上流部及び下流部の構成を概略的に示す縦断面図である。
【図４】（Ａ）は前記水栓の吐水管本体の縦断面図、（Ｂ）は同図（Ａ）と平面視において直交する方向に切断したときの吐水管本体の基部の縦断面図、（Ｃ）は（Ａ）のＣ−Ｃ線切断端面図、（Ｄ）は（Ｂ）のＤ部拡大図、（Ｅ）は（Ａ）のＥ−Ｅ線切断端面図、（Ｆ）は（Ａ）のＦ部拡大図、（Ｇ）は（Ｂ）のＧ部拡大図である。
【図５】（Ａ）は前記水栓のベースの正面図、（Ｂ）はベースの底面図、（Ｃ）はベースの縦断面図、（Ｄ）は（Ｂ）及び（Ｃ）のＤ−Ｄ線切断断面図、（Ｅ）は（Ａ）のＥ−Ｅ線切断断面図、（Ｆ）は（Ａ）のＦ−Ｆ線切断断面図である。
【図６】（Ａ）は前記水栓の上流接続部の構成を概略的に示す説明図、（Ｂ）は（Ａ）のＢ部拡大図である。
【図７】（Ａ）は前記水栓のカバーの平面図、（Ｂ）は（Ａ）のＡ−Ｏ−Ａ線切断断面図、（Ｃ）は（Ｂ）のＢ部拡大図である。
【図８】（Ａ）〜（Ｃ）は、前記水栓の連結バンドの構成を概略的に示す正面図、側面図及び背面図である。
【図９】前記水栓の下流接続部の構成を概略的に示す説明図である。
【発明を実施するための形態】
【００１５】
本発明の実施の形態について図面を参照しながら以下に説明する。
【００１６】
図１に示す水栓１は、給水配管Ｐ１及び給湯配管Ｐ２が接続され、吐出する湯水の温度調整及び流量調整が可能な湯水混合水栓である。すなわち、ハンドル２を向かって右方向に回動すると吐出口３から吐出される湯水の温度が上昇し、逆に左方向に回動すると下降する。また、図２に示すように、ハンドル２が実線の位置（上下に延びる位置）にあるときは止水され、これを傾けるほど吐出口３から吐出される湯水の流量が大きくなる。
【００１７】
そして、本例の水栓１は、図１〜図３に示すように、中空の吐水管本体４（図４（Ａ）〜（Ｇ）も参照）と、吐水管本体４の内部を通る通水用のインナーホース５と、インナーホース５の上流端部に設けられた上流接続部６と、吐水管本体４の上下方向に延びる基部７内に設けられ、上流接続部６を吐水管本体４の軸方向にスライド可能に保持する上流保持部８と、インナーホース５の下流端部に設けられた下流接続部９と、吐水管本体４の先端部１０内に設けられ、下流接続部９の吐水管本体４の上流側への移動を阻止し下流側への移動を許容する受け座１１とを具備し、上流保持部８によって上流接続部６が保持される範囲でインナーホース５を吐水管本体４の先端側へ引き出し可能（図３（Ｂ）参照）に構成されている。
【００１８】
なお、吐水管本体４は金属製の部材であり、インナーホース５は、有害物質等の浸出が無い乃至少ない合成樹脂（例えば塩化ビニル樹脂）によって形成された可撓管である。
【００１９】
以下、水栓１の具体的な構造について説明する。
【００２０】
吐水管本体４は、図４（Ａ）に示すように、グースネック状(「し」の字を上下逆さにした形状)を呈し、図４（Ｂ）及び（Ｄ）に示すように、その基部７には、側方に向かって延び、その先端側が開口した筒状の収容部１２が設けられ、この収容部１２には、ハンドル２によって操作される弁構造を内蔵したカートリッジ１３（図２参照）が収容される。
【００２１】
この吐水管本体４の基部７内において収容部１２に対応する位置には、図２に示すように、カートリッジ１３を支持するとともに所定の流路を形成するためのベース１４（図５（Ａ）〜（Ｆ）参照）が挿入配置される。
【００２２】
図５（Ａ）〜（Ｆ）に示すベース１４は、略円柱状を呈する部材であり、底部に給水配管Ｐ１、給湯配管Ｐ２が接続され、ベース１４内において、給水配管Ｐに連通する給水路１５、給湯配管Ｐ２に連通する給湯路１６が、それぞれベース１４前側のカートリッジ支持面１７にまで繋がるように延びている。すなわち、給水路１５、給湯路１６を経た湯水は、カートリッジ支持面１７からカートリッジ１３内に至り、カートリッジ１３内で適宜の割合で混合され、混合後の湯水は、カートリッジ支持面１７からベース１４内の連絡路１８を経てベース１４の上部に至る。
【００２３】
ベース１４の上部には、図５（Ｃ）及び（Ｄ）に示すように、上方に開口した筒状のケース部１９が設けられていて、その中に上流接続部６（図６（Ａ）及び（Ｂ）参照）が挿入される（図２、図３（Ａ）参照）。
【００２４】
図６（Ａ）及び（Ｂ）に示すように、上流接続部６は、略筒状の部材であり、その基端部６ａがインナーホース５に連結され、その先端部６ｂは拡径し、その外周面には止水部材（Ｏリング）２０（図３（Ａ）参照）が装着され、ケース部１９の内壁に密着するように構成されている。従って、連絡路１８からの湯水は、上流接続部６内を経てインナーホース５へと送られるのであり、上流接続部６とケース部１９の隙間から漏れることは止水部材２０によって防止される。
【００２５】
一方、図２及び図３（Ａ）に示すように、ケース部１９にはカバー２１（図７（Ａ）〜（Ｃ）参照）が装着されるのであり、本例では、ケース部１９の上部外周面に雄ねじが設けられ、これに螺合する雌ねじがカバー２１に設けられている。そして、カバー２１の中央には貫通孔２１ａが形成されていて、この貫通孔２１ａの内径は、上流接続部６の中央部６ｃ（図６（Ａ）参照）の外径よりも大きい。
【００２６】
すなわち、ケース部１９及びカバー２１は、上流接続部６を吐水管本体４の軸方向にスライド可能に保持する上流保持部８を構成している。
【００２７】
また、上流接続部６の基端部６ａとインナーホース５との連結は、例えば図８（Ａ）〜（Ｃ）に示す連結バンド２２を用いて行われる。そして、インナーホース５の下流側には下流接続部９（図９参照）が連結されるのであり、この連結にも連結バンド２２を用いることができる。
【００２８】
図９に示すように、下流接続部９は、略筒状の部材であり、その基端部９ａがインナーホース５に連結され、その先端部９ｂは拡径し、その外周面には止水部材（Ｏリング）２０（図３（Ｂ）参照）が装着され、吐水管本体４の先端部１０の内壁に密着するように構成されている。
【００２９】
そして、図１及び図３（Ｂ）に示すように、吐水管本体４の先端部１０内には、下流接続部９の先端部９ｂを支持する受け座１１が設けられており、この受け座１１は、先端部９ｂが吐水管本体４の上流側へ移動することを阻止する一方、下流接続部９が吐水管本体４の下流側へ移動することは許容する。
【００３０】
但し、先端部９ｂが受け座１１に支持されている（当接している）状態で、吐水管本体４の先端部１０には泡沫器２３（図１参照）が着脱自在に装着されるのであり、この泡沫器２３が装着された状態では、下流接続部９を吐水管本体４の下流側へと移動させることは不可能となる。すなわち、泡沫器２３は、下流接続部９が吐水管本体４の下流側へと移動することを阻止する阻止部材として機能する。
【００３１】
以上のように構成された本例の水栓１において、吐水管本体４内にインナーホース５を設けるには、まず、インナーホース５の上流側に上流接続部６を連結し、この上流接続部６を上流保持部８に保持させる。続いて、図３（Ｂ）に示すように、吐水管本体４の下流側からインナーホース５の下流端を引き出し、下流接続部９をインナーホース５に連結した後、インナーホース５を吐水管本体４の内側に戻して受け座１１によって下流接続部９の先端部９ａが支持される状態とする。最後に、吐水管本体４の先端部１０に泡沫器２３を装着することにより、吐水時に下流接続部９が吐出口３から飛び出すようなことがなく、インナーホース５が吐水管本体４内に安定した状態で収まることになる。
【００３２】
而して、本例の水栓１では、上流保持部８によって上流接続部６が保持される範囲（先端部６ａがケース部１９とカバー２１とで構成される空間に収まる範囲）でインナーホース５を吐水管本体４の先端側へ引き出し可能（図３（Ｂ）参照）に構成されており、インナーホース５への下流接続部９の連結を吐水管本体４の外側において行えるので、組付け性を高めることができ、しかも、上流接続部６は吐水管本体４の軸方向にスライド可能となっているので、インナーホース５の若干の長短はこのスライド調整によって解消・吸収され、構造安定性が高まることにもなる。
【００３３】
また、インナーホース５に下流接続部９を連結した後、この下流接続部９を吐水管本体４内へ挿入する際、必要以上に下流接続部９が吐水管本体４の上流側へと押し込まれてしまうことは、受け座１１によって確実に防止することができる。
【００３４】
なお、本発明は、上記の実施の形態に何ら限定されず、本発明の要旨を逸脱しない範囲において種々に変形して実施し得ることは勿論である。例えば、以下のような変形例を挙げることができる。
【００３５】
上記実施形態の水栓１０は湯水混合水栓であるが、本発明は、湯水混合水栓に限らず、例えば水のみを吐出する単水栓等にも適用可能である。
【００３６】
上記実施形態の吐水管本体４はグースネック状をしているが、これに限らず、本発明は、ストレート管など他の形状の吐水管本体４にも適用可能である。
【００３７】
上記実施形態では、泡沫器２３によって下流接続部９が吐水管本体４の下流側へと移動することを阻止するようにしているが、これに限らず、例えばＣリング等の他の阻止部材を先端部１０（例えば先端部１０の内側）に着脱自在に装着するようにして下流接続部９の下流側への移動を阻止するようにしてもよい。
【００３８】
図１に示す水栓１は、吐水管本体４の首振り（鉛直軸回りの回動）は不可能であるが、首振り可能なものでもよく、この場合でも、インナーホース５の両端に連結される上流接続部６及び下流接続部９の各々の軸回りの回転は許容されるため、インナーホース５のねじれを回避可能である。
【００３９】
上記実施形態では、ケース部１９及びカバー２１（すなわち吐水管本体４とは別の部材のみ）によって上流保持部８を構成しているが、これに限らず、例えば吐水管本体４の一部を上流保持部８の構成に利用するようにしてもよい。また、上記実施形態では、吐水管本体４（先端部１０）自体に受け座１１を設けているが、これに限らず、例えば吐水管本体４とは別に受け座１１を構成する部材を設け、この部材を先端部１０に取り付けるようにしてもよい。
【００４０】
なお、上記変形例どうしを適宜組み合わせてもよいことはいうまでもない。
【符号の説明】
【００４１】
１    水栓
２    ハンドル
３    吐出口
４    吐水管本体
５    インナーホース
６    上流接続部
６ａ  基端部
６ｂ  先端部
７    基部
８    上流保持部
９    下流接続部
９ａ  基端部
９ｂ  先端部
１０    先端部
１１    受け座
１２    収容部
１３    カートリッジ
１４    ベース
１５    給水路
１６    給湯路
１７    カートリッジ支持面
１８    連絡路
１９    ケース部
２０    止水部材
２１    カバー
２１ａ  貫通孔
２２    連結バンド
２３    泡沫器
Ｐ１    給水配管
Ｐ２    給湯配管
【図１】
2019112830.tif 000003
【図２】
2019112830.tif 000004
【図３】
2019112830.tif 000005
【図４】
2019112830.tif 000006
【図５】
2019112830.tif 000007
【図６】
2019112830.tif 000008
【図７】
2019112830.tif 000009
【図８】
2019112830.tif 000010
【図９】
2019112830.tif 000011